(57)【要約】【課題】  既存の浴室内のスペースを有効に活用することによって、既存の浴室に容易に設置することができる簡易浴槽装置を提供すること。【解決手段】  前面が開放された簡易浴槽本体４と、簡易浴槽本体４の開放された前面の少なくとも一部に着脱自在に取り付けられるカバー本体８と、を備えており、簡易浴槽本体４には被介助者が着座するための座部１６が設けられ、座部１６の少なくとも一部は浴室５８の浴槽１０４の上方に配設され、またカバー本体８は浴室の洗い場１０６側に配設されている。これにより、既存の浴室５８内のスペースを有効に活用することができ、簡易浴槽装置２を既存の浴室５８に容易に設置することができる。【選択図】  図５
2007151709.tif 000002
【特許請求の範囲】
【請求項１】
前面が開放された簡易浴槽本体と、前記簡易浴槽本体の開放された前記前面の少なくとも一部に着脱自在に取り付けられるカバー本体と、を備え、前記簡易浴槽本体及び前記カバー本体は相互に協働して入浴のための浴槽空間を規定する簡易浴槽を構成し、
前記簡易浴槽本体には被介助者が着座するための座部が設けられ、前記座部の少なくとも一部は浴室の浴槽の上方に配設され、また前記カバー本体は浴室の洗い場側に配設されていることを特徴とする簡易浴槽装置。
【請求項２】
前記簡易浴槽に関連して温水供給手段が設けられており、前記温水供給手段は、前記浴室の浴槽に貯められた温水を前記浴槽空間に供給することを特徴とする請求項１に記載の簡易浴槽装置。
【請求項３】
前記簡易浴槽本体又は前記カバー本体の下端部には給水用開口が設けられており、前記温水供給手段は、前記浴室の浴槽に貯められた温水を前記給水用開口を通して前記浴槽空間に供給することを特徴とする請求項２に記載の簡易浴槽装置。
【請求項４】
前記簡易浴槽に関連して温水戻し手段が更に設けられており、前記温水戻し手段は、前記浴槽空間に貯められた温水の一部を前記浴室の浴槽に戻し、これにより前記浴室の浴槽内の温水は、前記温水供給手段及び前記温水戻し手段によって前記浴槽空間を通して循環されることを特徴とする請求項２又は３に記載の簡易浴槽装置。
【請求項５】
前記温水戻し手段は、前記簡易浴槽本体又は前記カバー本体の上部に設けられた排水用開口を有し、前記浴槽空間に貯められた温水が前記排水用開口まで上昇すると、この温水が前記排水用開口を通して前記浴室の浴槽に戻されることを特徴とする請求項４に記載の簡易浴槽装置。
【請求項６】
前記温水戻し手段は、前記排水用開口に接続され且つ外部に突出される排水用パイプを更に有しており、前記浴槽空間に貯められた温水が前記排水用開口まで上昇すると、この温水が前記排水用開口及び前記排水用パイプを通して前記浴室の浴槽内に向けて落下されることを特徴とする請求項５に記載の簡易浴槽装置。
【請求項７】
前記カバー本体の内面には、前記簡易浴槽本体に向かって突出する突部が設けられていることを特徴とする請求項１〜６のいずれかに記載の簡易浴槽装置。
【請求項８】
前記突部の下面は、前記簡易浴槽本体に向かって上方に傾斜されていることを特徴とする請求項７に記載の簡易浴槽装置。
【請求項９】
前記カバー本体の前面は、前記簡易浴槽本体に向かって上方に傾斜されていることを特徴とする請求項７又は８に記載の簡易浴槽装置。
【請求項１０】
前記簡易浴槽の底部は、前記簡易浴槽本体の底部と前記カバー本体の底部とから構成され、前記簡易浴槽本体と前記カバー本体との分割面により分割される前記簡易浴槽本体の底部の分割幅は、前記カバー本体の底部の分割幅よりも小さく構成されていることを特徴とする請求項１〜９のいずれかに記載の簡易浴槽装置。
【請求項１１】
前記簡易浴槽本体の下端部には、ほぼ水平となる載置位置とほぼ垂直となる収納位置との間を自在に旋回される足置き板が取り付けられていることを特徴とする請求項１〜１０のいずれかに記載の簡易浴槽装置装置。
【請求項１２】
前記簡易浴槽本体に関連して、前記簡易浴槽本体を前記浴室の浴槽に対して相対的に所定方向にスライド移動させるためのスライド移動機構が設けられていることを特徴とする請求項１〜１１のいずれかに記載の簡易浴槽装置。
【請求項１３】
前記簡易浴槽本体及び／又は前記カバー本体の下端部には、前記簡易浴槽本体の高さを調節するための高さ調節機構が設けられていることを特徴とする請求項１〜１２のいずれかに記載の簡易浴槽装置。
【請求項１４】
前記高さ調節機構は複数のアジャスタボルトから構成され、前記複数のアジャスタボルトは、横方向に延びる連結部材により相互に連結されていることを特徴とする請求項１３に記載の簡易浴槽装置。
【請求項１５】
前記簡易浴槽本体の開放された開口部の下端部には受け凹部が設けられており、前記カバー本体が前記簡易浴槽本体の前記開口部に取り付けられると、前記カバー本体の下端部は前記受け凹部に支持されることを特徴とする請求項１〜１４のいずれかに記載の簡易浴槽装置。
【請求項１６】
前記簡易浴槽本体には、シャワーヘッドを保持するためのシャワーヘッド保持手段が設けられていることを特徴とする請求項１〜１５のいずれかに記載の簡易浴槽装置。
【請求項１７】
前記簡易浴槽本体の後方において前記簡易浴槽本体と浴室の壁面との間には、前記簡易浴槽本体から取り外された前記カバー本体を収納するための収納空間が形成されていることを特徴とする請求項１〜１６のいずれかに記載の簡易浴槽装置。
【請求項１８】
前記簡易浴槽本体の前記座部には、前方に且つ下方に向かって傾斜して延びる排水用凹部が設けられていることを特徴とする請求項１〜１７のいずれかに記載の簡易浴槽装置。
【発明の詳細な説明】
【技術分野】
【０００１】
本発明は、例えば高齢者、病人及び身体障害者などの介助を必要とする人を入浴させるための簡易浴槽装置に関する。
【背景技術】
【０００２】
従来より、例えば高齢者、病人及び身体障害者などの介助を必要とする人（すなわち、被介助者）を入浴させるための簡易浴槽装置が利用に供されている。この簡易浴槽装置は、フレーム本体と、フレーム本体の側面及び底面に装着された複数の浴槽シートと、を備えており、この複数の浴槽シートにより入浴のための浴槽空間を規定する簡易浴槽が構成される（例えば、特許文献１参照）。この浴槽空間には温水が貯められ、被介助者は、介助者に介助されることよってこの温水が貯められた簡易浴槽に入浴される。
【０００３】
【特許文献１】特開平９−３２２８６８号公報
【発明の開示】
【発明が解決しようとする課題】
【０００４】
上述のような従来の簡易浴槽装置の大きさは比較的大きいため、十分な設置スペースを確保できる例えば居室などに簡易浴槽装置を設置する必要がある。しかしながら、このように簡易浴槽装置を例えば居室などに設置すると、簡易浴槽に対して給排水を行うための給排水設備を設置しなければならないため、簡易浴槽に対する給排水を容易に行うことができないという問題が生じる。また、浴槽空間に貯められた温水から生じる湿気によって、居室内の湿度が上昇して居室の快適性が損なわれるという問題が生じる。このため、簡易浴槽に対する給排水を容易に行い、また居室内の湿度が上昇するなどの問題を解消するためには、簡易浴槽装置を既存の浴室に設置することが好ましく、従って、限られた設置スペースしか確保できない既存の浴室に容易に設置することができる簡易浴槽装置の実現が強く望まれている。
【０００５】
本発明の目的は、既存の浴室内のスペースを有効に活用することによって、既存の浴室に容易に設置することができる簡易浴槽装置を提供することである。
【課題を解決するための手段】
【０００６】
本発明の請求項１に記載の簡易浴槽装置では、前面が開放された簡易浴槽本体と、前記簡易浴槽本体の開放された前記前面の少なくとも一部に着脱自在に取り付けられるカバー本体と、を備え、前記簡易浴槽本体及び前記カバー本体は相互に協働して入浴のための浴槽空間を規定する簡易浴槽を構成し、
前記簡易浴槽本体には被介助者が着座するための座部が設けられ、前記座部の少なくとも一部は浴室の浴槽の上方に配設され、また前記カバー本体は浴室の洗い場側に配設されていることを特徴とする。
【０００７】
また、本発明の請求項２に記載の簡易浴槽装置では、前記簡易浴槽に関連して温水供給手段が設けられており、前記温水供給手段は、前記浴室の浴槽に貯められた温水を前記浴槽空間に供給することを特徴とする。
【０００８】
さらに、本発明の請求項３に記載の簡易浴槽装置では、前記簡易浴槽本体又は前記カバー本体の下端部には給水用開口が設けられており、前記温水供給手段は、前記浴室の浴槽に貯められた温水を前記給水用開口を通して前記浴槽空間に供給することを特徴とする。
【０００９】
また、本発明の請求項４に記載の簡易浴槽装置では、前記簡易浴槽に関連して温水戻し手段が更に設けられており、前記温水戻し手段は、前記浴槽空間に貯められた温水の一部を前記浴室の浴槽に戻し、これにより前記浴室の浴槽内の温水は、前記温水供給手段及び前記温水戻し手段によって前記浴槽空間を通して循環されることを特徴とする。
【００１０】
さらに、本発明の請求項５に記載の簡易浴槽装置では、前記温水戻し手段は、前記簡易浴槽本体又は前記カバー本体の上部に設けられた排水用開口を有し、前記浴槽空間に貯められた温水が前記排水用開口まで上昇すると、この温水が前記排水用開口を通して前記浴室の浴槽に戻されることを特徴とする。
【００１１】
また、本発明の請求項６に記載の簡易浴槽装置では、前記温水戻し手段は、前記排水用開口に接続され且つ外部に突出される排水用パイプを更に有しており、前記浴槽空間に貯められた温水が前記排水用開口まで上昇すると、この温水が前記排水用開口及び前記排水用パイプを通して前記浴室の浴槽内に向けて落下されることを特徴とする。
【００１２】
さらに、本発明の請求項７に記載の簡易浴槽装置では、前記カバー本体の内面には、前記簡易浴槽本体に向かって突出する突部が設けられていることを特徴とする。
また、本発明の請求項８に記載の簡易浴槽装置では、前記突部の下面は、前記簡易浴槽本体に向かって上方に傾斜されていることを特徴とする。
【００１３】
さらに、本発明の請求項９に記載の簡易浴槽装置では、前記カバー本体の前面は、前記簡易浴槽本体に向かって上方に傾斜されていることを特徴とする。
また、本発明の請求項１０に記載の簡易浴槽装置では、前記簡易浴槽の底部は、前記簡易浴槽本体の底部と前記カバー本体の底部とから構成され、前記簡易浴槽本体と前記カバー本体との分割面により分割される前記簡易浴槽本体の底部の分割幅は、前記カバー本体の底部の分割幅よりも小さく構成されていることを特徴とする。
【００１４】
さらに、本発明の請求項１１に記載の簡易浴槽装置では、前記簡易浴槽本体の下端部には、ほぼ水平となる載置位置とほぼ垂直となる収納位置との間を自在に旋回される足置き板が取り付けられていることを特徴とする。
【００１５】
また、本発明の請求項１２に記載の簡易浴槽装置では、前記簡易浴槽本体に関連して、前記簡易浴槽本体を前記浴室の浴槽に対して相対的に所定方向にスライド移動させるためのスライド移動機構が設けられていることを特徴とする。
【００１６】
さらに、本発明の請求項１３に記載の簡易浴槽装置では、前記簡易浴槽本体及び／又は前記カバー本体の下端部には、前記簡易浴槽本体の高さを調節するための高さ調節機構が設けられていることを特徴とする。
【００１７】
また、本発明の請求項１４に記載の簡易浴槽装置では、前記高さ調節機構は複数のアジャスタボルトから構成され、前記複数のアジャスタボルトは、横方向に延びる連結部材により相互に連結されていることを特徴とする。
【００１８】
さらに、本発明の請求項１５に記載の簡易浴槽装置では、前記簡易浴槽本体の開放された開口部の下端部には受け凹部が設けられており、前記カバー本体が前記簡易浴槽本体の前記開口部に取り付けられると、前記カバー本体の下端部は前記受け凹部に支持されることを特徴とする。
【００１９】
また、本発明の請求項１６に記載の簡易浴槽装置では、前記簡易浴槽本体には、シャワーヘッドを保持するためのシャワーヘッド保持手段が設けられていることを特徴とする。
【００２０】
さらに、本発明の請求項１７に記載の簡易浴槽装置では、前記簡易浴槽本体の後方において前記簡易浴槽本体と浴室の壁面との間には、前記簡易浴槽本体から取り外された前記カバー本体を収納するための収納空間が形成されていることを特徴とする。
【００２１】
また、本発明の請求項１８に記載の簡易浴槽装置では、前記簡易浴槽本体の前記座部には、前方に且つ下方に向かって傾斜して延びる排水用凹部が設けられていることを特徴とする。
【発明の効果】
【００２２】
本発明の請求項１に記載の簡易浴槽装置によれば、簡易浴槽本体にカバー本体を取り付けることによって、これらが相互に協働して入浴のための浴槽空間を規定する簡易浴槽が構成される。簡易浴槽本体の座部の少なくとも一部は浴室の浴槽の上方に配設されているので、一般的に活用されることの少ない浴室の浴槽の上方のスペースを有効に利用することができ、これにより、浴室の洗い場のスペースを確保することができるとともに、簡易浴槽装置を既存の浴室に容易に設置することが可能となる。また、カバー本体は浴室の洗い場側に配設されているので、カバー本体を簡易浴槽本体から取り外すことにより、例えば介助者などが入浴や介助などを行うための浴室の洗い場のスペースを十分に確保することができる。さらに、簡易浴槽本体の座部は、浴室の浴槽の上端部よりもやや上方に位置付けられるので、被介助者を簡易浴槽本体の座部に容易に着座させることができ、これにより被介助者を簡易浴槽本体の座部に着座させる際の被介助者及び介助者の負担を軽減することが可能となる。
【００２３】
また、本発明の請求項２に記載の簡易浴槽装置によれば、温水供給手段は、浴室の浴槽に貯められた温水を簡易浴槽の浴槽空間に供給するので、浴室に設けられた既存の給湯設備により生成された温水を利用することができ、これにより、効率的に且つ比較的簡単な構成でもって簡易浴槽に温水を貯めることが可能となる。
【００２４】
さらに、本発明の請求項３に記載の簡易浴槽装置によれば、簡易浴槽本体又はカバー本体の下端部には給水用開口が設けられ、温水供給手段は、浴室の浴槽に貯められた温水をこの給水用開口を通して浴槽空間に供給するので、浴室の浴槽からの適温の温水が簡易浴槽の下部から供給され、これにより、温度の低下しやすい浴槽空間の下部における温水の温度を高めることができ、簡易浴槽内の温水に温度差が生じるのを防止することが可能となる。
【００２５】
また、本発明の請求項４に記載の簡易浴槽装置によれば、温水戻し手段は、浴槽空間に貯められた温水の一部を浴室の浴槽に戻し、これにより浴室の浴槽内の温水は浴槽空間を通して循環されるので、簡易浴槽に供給された温水の温度が低下した場合には、この温水が浴室の浴槽に戻された際に既存の給湯設備によって所定温度まで加温され、この加温された温水が浴槽空間に供給され、これにより、浴槽空間内の温水の温度をほぼ一定に保持することが可能となる。
【００２６】
さらに、本発明の請求項５に記載の簡易浴槽装置によれば、浴槽空間に貯められた温水が排水用開口まで上昇すると、この温水が排水用開口を通して浴室の浴槽に戻されるので、温水が簡易浴槽の上端開口部より溢れ出すことがなく、簡易浴槽内の温水の水位をほぼ一定に保持させることができ、快適な入浴を行うことが可能となる。
【００２７】
また、本発明の請求項６に記載の簡易浴槽装置によれば、浴槽空間に貯められた温水が排水用開口まで上昇すると、この温水が排水用開口及び排水用パイプを通して浴室の浴槽内に向けて落下されるので、温水が浴室の浴槽内に落下する際に生じる音色により浴室内の雰囲気を高めることができ、この音色により癒し効果やリラクゼーション効果を得ることが可能となる。また、排水用パイプを通して落下される温水を浴室の浴槽に入浴している入浴者の首、肩又は背中などに当てることにより、心地よい打たせ湯の刺激を得ることが可能となる。
【００２８】
さらに、本発明の請求項７に記載の簡易浴槽装置によれば、カバー本体の内面には、簡易浴槽本体に向かって突出する突部が設けられているので、入浴している被介助者がこの突部に手を置く又はこの突部を手で掴むことにより、被介助者の入浴時の姿勢を安定させることが可能となる。
【００２９】
また、本発明の請求項８に記載の簡易浴槽装置によれば、突部の下面は、簡易浴槽本体に向かって上方に傾斜されているので、簡易浴槽の下部から温水が供給される場合において、温水の上方向への流れが突部の下面によって簡易浴槽本体側への流れに変化され、これにより温水の流れは、被介助者の身体の前面（例えば、腹部など）に向かうようになる。したがって、被介助者の身体の浮き上がりが簡易浴槽本体側への温水の流れにより抑制され、被介助者の身体の安定性を高めることが可能となる。
【００３０】
さらに、本発明の請求項９に記載の簡易浴槽装置によれば、カバー本体の内面に突部が設けられているのに加え、カバー本体の前面が簡易浴槽本体に向かって上方に傾斜されているので、浴槽空間に貯められる温水の容積を減少させることができ、これにより比較的短時間で温水を浴槽空間に貯めることが可能となる。
【００３１】
また、本発明の請求項１０に記載の簡易浴槽装置によれば、簡易浴槽本体の底部の分割幅は、カバー本体の底部の分割幅よりも小さいので、例えば介助者が介助や入浴などを行うための浴室の洗い場のスペースを十分に確保することが可能となる。
【００３２】
さらに、本発明の請求項１１に記載の簡易浴槽装置によれば、簡易浴槽本体の下端部には足置き板が取り付けられているので、被介助者の両足を足置き板に適宜載置させることにより、被介助者の入浴時の姿勢を安定させることができる。また足置き板は、載置位置と収納位置との間を自在に旋回されるので、被介助者を簡易浴槽本体の座部に着座させる際に足置き板を収納位置に保持することにより、足置き板が被介助者の着座動作の妨げになることがない。また、カバー本体を簡易浴槽本体の前面に取り付ける際に、足置き板を載置位置に保持させ、被介助者の両足を足置き板に載置させることにより、カバー本体の下端部が被介助者の両足に接触するのを防止することができる。
【００３３】
また、本発明の請求項１２に記載の簡易浴槽装置によれば、簡易浴槽本体を浴室の浴槽に対して相対的に所定方向、例えば前後方向にスライド移動させるためのスライド移動機構が設けられているので、例えば介助者などが浴室の浴槽に入浴する際に簡易浴槽本体を所定方向にスライド移動させることにより、介助者などの入浴時の簡易浴槽本体による圧迫感を少なくすることができる。
【００３４】
さらに、本発明の請求項１３に記載の簡易浴槽装置によれば、簡易浴槽本体及び／又はカバー本体の下端部には、簡易浴槽本体の高さを調節するための高さ調節機構が設けられているので、浴室の浴槽の種類などに応じて簡易浴槽本体の高さを適宜調節することができ、これにより簡易浴槽本体を浴室の浴槽に対して確実に且つ安定して設置することができる。
【００３５】
また、本発明の請求項１４に記載の簡易浴槽装置によれば、複数のアジャスタボルトは、横方向に延びる連結部材により相互に連結されているので、簡易浴槽本体及び／又はカバー本体が連結部材を介して浴室の洗い場に載置されるようになり、これにより簡易浴槽本体及びカバー本体の全重量、簡易浴槽に貯められた温水の重量及び被介助者の重量などにより浴室の洗い場に作用する荷重を分散させることができ、浴室の洗い場に敷設されたタイルなどが破損するのを防止することができる。
【００３６】
さらに、本発明の請求項１５に記載の簡易浴槽装置によれば、簡易浴槽本体の開放された開口部の下端部には受け凹部が設けられており、カバー本体の下端部はこの受け凹部に支持されるので、簡易浴槽に貯められた温水の水圧が最も作用する簡易浴槽本体の開口部の下端部とカバー本体の下端部との間の隙間を確実にシールすることができ、簡易浴槽の防水性を高めることができる。
【００３７】
また、本発明の請求項１６に記載の簡易浴槽装置によれば、簡易浴槽本体にはシャワーヘッド保持手段が設けられているので、浴室の既存のシャワーヘッドをシャワーヘッド保持手段に保持させ、簡易浴槽内の温水の水面より外部に露出された被介助者の上半身（例えば、首、肩又は胸部など）に対してシャワーヘッドから噴出される温水を掛けることにより、被介助者の上半身が冷えるのを防止することが可能となる。
【００３８】
さらに、本発明の請求項１７に記載の簡易浴槽装置によれば、簡易浴槽本体の後方において簡易浴槽本体と浴室の壁面との間には収納空間が形成されているので、簡易浴槽本体から取り外されたカバー本体をこの収納空間に収納することができ、例えば介助者などが入浴する場合や浴室の洗い場の清掃を行う場合などにおいて、洗い場のスペースを十分に確保することができる。
【００３９】
また、本発明の請求項１８に記載の簡易浴槽装置によれば、簡易浴槽本体の座部には、前方に且つ下方に向かって傾斜して延びる排水用凹部が設けられているので、簡易浴槽内の温水を外部に排水する場合などにおいて、座部に溜まった温水が排水用凹部内を流れ、これにより温水が座部に溜まるのを防止することができる。
【発明を実施するための最良の形態】
【００４０】
以下、添付図面を参照して、本発明に従う簡易浴槽装置の一実施形態について説明する。図１は、本発明の一実施形態による簡易浴槽装置を浴室に設置した状態を示す概略斜視図であり、図２は、図１の簡易浴槽装置を示す分解斜視図であり、図３は、図１の簡易浴槽装置の一部を透過して示す正面図であり、図４は、図１の簡易浴槽装置を示す上面図であり、図５は、図１の簡易浴槽本体が使用位置に位置付けられた状態を示す概略断面図であり、図６は、図１の簡易浴槽装置が非使用位置に位置付けられた状態を示す概略要部断面図であり、図７は、図５の蓋部材を浴室の浴槽の上端部に載置した状態を示す概略斜視図であり、図８は、図３中のＡ−Ａ’線による簡易浴槽本体の開口部の下端部の概略拡大断面図であり、図９は、図３中のＢ−Ｂ’線による簡易浴槽本体の開口部の左右の端部の概略拡大断面図である。
【００４１】
図１〜図９を参照して、図示の簡易浴槽装置２は、前面が開放された簡易浴槽本体４と、簡易浴槽本体４の開放された前面の少なくとも一部に着脱自在に取り付けられるカバー本体８とを備え、簡易浴槽本体４及びカバー本体８は相互に協働して、入浴のための浴槽空間５を規定する簡易浴槽６を構成する。以下、簡易浴槽装置２の各構成要素について詳細に説明する。
【００４２】
簡易浴槽本体４は、例えばＦＲＰ樹脂などから構成され、被介助者が着座するシート部１０と、シート部１０の両側に相互に対向して配設された一対の側板部１２とを備えており、簡易浴槽本体４の前面には開放された開口部１４が設けられている。シート部１０は、実質上水平方向に延びる座部１６と、座部１６の他端部（図５において右側の端部）より上方に向かって延びる背もたれ部１８と、座部１６の一端部（図５において左側の端部）より下方に向かって延びる脚部２０と、を有している。座部１６の上面は、その一端部から他端部に向かって下方に傾斜され、また背もたれ部１８の内面は、その下端部から上端部に向かって上方に傾斜されている。座部１６の上端部には、前方（図５において左方向）に且つ下方に向かって、座部１６の他端部から一端部まで傾斜して延びる排水用凹部２２が設けられている。背もたれ部１８の上端部には、外側に向かって円弧状に湾曲したヘッドレスト部２４が設けられ、また背もたれ部１８の下端部には、下方に突出する一対のガイド用ピン２６が所定方向（図３において左右方向、図５において紙面に対して垂直方向）に所定の間隔を置いて設けられている。
【００４３】
脚部２０の下端部には、前方に向かって延びる取付部２８が設けられ、この取付部２８には、複数（本実施形態では、３個）のアジャスタボルト３０から構成される高さ調節機構が設けられており、各アジャスタボルト３０は、棒状のボルト部３２と、ボルト部３２に螺合されるナット部３４とから構成されている。取付部２８には複数（本実施形態では、３個）の挿通用開口（図示せず）が設けられ、また複数の挿通用開口の各々の上端部にはガイド部３６が設けられ、ガイド部３６の内部には上下方向に延びるガイド用空間（図示せず）が形成されており、ボルト部３２の上端部は、挿通用開口を通してガイド部３６のガイド用空間に移動自在に挿入されている。複数のアジャスタボルト３０の各々のボルト部３２の下端部は、横方向（図３において左右方向、図５において紙面に対して垂直方向）に延びる例えば角材などの連結部材３８により相互に連結されている。また、ナット部３４は取付部２８の下方に配設され、その上端面は取付部２８の下端面に当接される。ナット部３４をボルト部３２に対して相対的に回動させると、ナット部３４がボルト部３２上を相対的に移動することによりボルト部３２が簡易浴槽本体４に対して相対的に上下方向に移動され、これにより簡易浴槽本体４の高さが調節される。
【００４４】
また、脚部２０の下端部には、回転自在に支持された軸部材４０と、この軸部材４０に取り付けられた矩形状の足置き板４２と、が設けられている。この足置き板４２は、ほぼ水平となる載置位置（図５において実線で示す）とほぼ垂直となる収納位置（図５において一点鎖線で示す）との間を、軸部材４０を中心として自在に旋回されるように構成されている。収納位置から載置位置に向けて旋回された足置き板４２の下面が、取付部２８に設けられた複数のガイド部３６の各上端部に当接されると、足置き板４２が載置位置に保持される。
【００４５】
一対の側板部１２の各内面にはアームレスト部４４が設けられており、このアームレスト部４４は、座部１６の左右（図３において左右）の端部より上方に向かって延びている。一対の側板部１２のうち一方の側板部１２には温水戻し手段４５が設けられており、この温水戻し手段４５は、一方の側板部１２の上部に設けられた円形状の排水用開口（図示せず）と、この排水用開口に接続され且つ外部に突出される排水用パイプ４８と、を有している。また、一方の側板部１２にはシャワーヘッド保持手段５０が設けられており、このシャワーヘッド保持手段５０は、一方の側板部１２の上部に取り付けられたベース部５２と、ベース部５２から延びる屈曲自在のアーム部５４と、アーム部５４の先端部に設けられた保持部５６と、を有しており、保持部５６には浴室５８の既存のシャワーヘッド６０が着脱自在に保持される（図１参照）。
【００４６】
簡易浴槽本体４の開口部１４の下端部には、左右方向に延び且つコの字状の断面を有する受け凹部６２が設けられており、この受け凹部６２の凹面側は上方を向いている。また、簡易浴槽本体４の開口部１４の左右の端部（すなわち、一対の側板部１２の各端部）は、前方から後方に向かって上方に弓状に傾斜されており、またこの開口部１４の左右の外側端部の上部及び下部にはそれぞれ係止突部６４ａ，６４ｂが設けられている。
【００４７】
カバー本体８は例えばＦＲＰ樹脂などから構成され、カバー本体８の前面に設けられ、簡易浴槽本体４側（図５において右側）に向かって上方に傾斜された前カバー部６６と、前カバー部６６の左右の端部よりそれぞれ簡易浴槽本体４側に延びる一対の側カバー部６８と、前カバー部６６の下端部より簡易浴槽本体４側に延びる底カバー部７０と、を備えており、カバー本体８の後面には開放された開口部７２が設けられている。前カバー部６６の上部及び下部にはそれぞれ、簡易浴槽本体４側に向かって突出する第１突部７４及び第２突部７６が設けられており、第１突部７４の突面側における下面は簡易浴槽本体４側に向かって上方に傾斜されている（図５参照）。また、一対の側カバー部６８のうち一方の側カバー部６８の下部には、給水用開口７８と、開閉弁（図示せず）を有する排水用開口８０とが設けられており、排水用開口８０の開閉弁は開閉自在に構成されている。
【００４８】
底カバー部７０には、複数（本実施形態では、６個）のアジャスタボルト８２から構成される高さ調節機構が設けられている。アジャスタボルト８２は、下端部に頭部８４を有するボルト部８６と、ボルト部８６に螺合されるナット部８８と、から構成されている。底カバー部７０には複数（本実施形態では、６個）の挿通用開口（図示せず）が設けられ、また複数の挿通用開口の各々の上端部にはガイド部９０が設けられ、このガイド部９０の内部には上下方向に延びるガイド用空間（図示せず）が形成されており、ボルト部８６の上端部は、挿通用開口を通してガイド部９０のガイド用空間に移動自在に挿入されている。上述したアジャスタボルト３０と同様に、ナット部８８の上端面は底カバー部７０の下端面に当接され、ボルト部８６に対してナット部８８を相対的に回動させることによりカバー本体８の高さが調節される。
【００４９】
カバー本体８の開口部７２の左右の端部（すなわち、一対の側カバー部６８の各端部）は、簡易浴槽本体４の開口部１４の形状に対応して、前方から後方に向かって上方に弓状に傾斜されており、またこの開口部７２の左右の外側端部の上部及び下部にはそれぞれ、係止突部６４ａ，６４ｂに着脱自在に係止されるフック部材９２ａ，９２ｂが取り付けられている。開口部７２の左右の外側端部の上部に取り付けられたフック部材９２ａは、水平方向に対して下方に角度α（図２参照）でもって傾斜されるように取り付けられている。カバー本体８の開口部７２の左右の端部には、簡易浴槽本体４側にＬ字状に延びる支持押圧部９４（図９参照）が設けられ、またこの開口部７２の下端部には、左右方向に延び且つ下方に突出する支持突条９６が設けられている。なお、図１〜図６において、支持押圧部９４の図示は省略してある。また、カバー本体８の開口部７２（すなわち、一対の側カバー部６８及び底カバー部７０の各端部）には、例えば発泡ゴムなどから構成されるシール部材９８が取り付けられている。
【００５０】
カバー本体８は、次のようにして簡易浴槽本体４の開口部１４に着脱自在に取り付けられる。前カバー部６６の第１突部７４及び第２突部７６の各凹面側に手を掛けるなどしてカバー本体８を持ち上げ、カバー本体８の支持突状９６（すなわち、カバー本体８の下端部）を簡易浴槽本体４の受け凹部６２の凹面側に支持させ、この状態より、カバー本体８の開口部７２と簡易浴槽本体４の開口部１４とを相互に合わせるようにし、各フック部材９２ａ，９２ｂを対応する係止突部６４ａ，６４ｂにそれぞれ係止させる。このようにカバー本体８が簡易浴槽本体４の開口部１４に取り付けられると、これら簡易浴槽本体４及びカバー本体８によって上面が開口された浴槽空間５が規定され、この簡易浴槽６の浴槽空間５には温水が貯められる。カバー本体８の開口部７２と簡易浴槽本体４の開口部１４との間にはシール部材９８が介挿され、これにより簡易浴槽本体４とカバー本体８との間の隙間がシールされ、簡易浴槽６内に貯められた温水がこの隙間から外部に漏れることがない。
【００５１】
なお、カバー本体８が簡易浴槽本体４の開口部１４に取り付けられた状態において、カバー本体８の開口部７２の左右の端部に設けられた支持押圧部９４は、簡易浴槽本体４の開口部１４の左右の端部を外側より押圧するようになるので（図９参照）、簡易浴槽６内に温水が貯められた際に、簡易浴槽６内の温水の水圧によって簡易浴槽本体４の開口部１４の左右の端部が外方に拡がるのが抑えられる。また、カバー本体８の支持突条９６は簡易浴槽本体４の受け凹部６２に支持されるので（図８参照）、簡易浴槽６内に温水が貯められた際に、簡易浴槽６内の温水の水圧が最も作用する簡易浴槽本体４の開口部１４の下端部とカバー本体８の開口部７２の下端部との間の隙間を確実にシールすることができる。さらに、カバー本体８の開口部７２の左右の外側端部の上部に設けられたフック部材９２ａは、上述のように下方に傾斜して取り付けられているので、カバー本体８の上部が簡易浴槽本体４側に斜め下方に引き付けられ、これにより簡易浴槽６内の温水の水圧によりカバー本体８が上方に押し上げられるのが抑えられ、簡易浴槽本体４とカバー本体８との間の隙間がシール部材９８によりシールされた状態を確実に保持することができる。また、簡易浴槽６の底部は、簡易浴槽本体４の底部（すなわち、取付部２８）とカバー本体８の底部（すなわち、底カバー部７０）とから構成され、簡易浴槽本体４とカバー本体８との分割面により分割される簡易浴槽本体４の底部の分割幅Ｄ１は、カバー本体８の底部の分割幅Ｄ２よりも小さく構成されている（図５参照）。
【００５２】
上述のように構成された簡易浴槽装置４は、次のようにして既存の浴室５８に設置される。浴室５８には、浴室５８の壁面１０２に沿って配設された浴槽１０４と、浴槽１０４に隣接する洗い場１０６とが設けられており、浴室５８の浴槽１０４には、後述するようにして簡易浴槽本体４が蓋部材１０８を介して着脱自在に載置される。この蓋部材１０８は矩形状の板状に構成され、横長の固定蓋部１１０と、固定蓋部１１０に複数（本実施形態では、３個）の蝶番１１２を介して旋回自在に連結される可動蓋部１１４と、から構成されており、固定蓋部１１０の下面には、コの字状の一対の固定用部材１１６が所定の間隔を置いて取り付けられている（図５〜図７参照）。固定用部材１１６の両端部１１８ａ，１１８ｂの離間距離は、浴槽１０４の一方の縁部１２０ａ（すなわち、浴室５８の洗い場１０６側に配設される縁部１２０ａ）の幅よりも大きく構成され、固定用部材１１６の一方の端部１１８ａにはネジ用開口（図示せず）が設けられており、このネジ用開口には固定用ネジ１２２が螺着されている。可動蓋部１１４の下面における一端部（図５において右側の端部）には、高さ調節用突部１２４が下方に突出して設けられており、この高さ調節用突部１２４の厚さ（肉厚）は、固定用部材１１６の厚さとほぼ同じ大きさに構成されている。また、蓋部材１０８の上面には、一対のガイド用ピン２６に対応する一対のガイド用凹部１２６が設けられており、この一対のガイド用凹部１２６は、可動蓋部１１４の幅方向中央部近傍から固定蓋部１１０の一端部近傍まで延びている。
【００５３】
一対の固定用部材１１６の各々の凹部を浴槽１０４の一方の縁部１１８ａに装着し、固定用ネジ１２２を回動させてその先端部を浴室５８の浴槽１０４の外面に当接させると、浴槽１０４の一方の縁部１２０ａが固定用部材１１６の他方の端部１１８ｂと固定用ネジ１２２の先端部との間に挟持され、これにより固定蓋部１１０が浴槽１０４の一方の縁部１２０ａに取り付けられる。また、可動蓋部１１４は、浴室５８の浴槽１０４の上端開口部の一部（上端開口部の全領域のうちほぼ半分の領域）を覆う閉塞位置（図５及び図７参照）と、浴室５８の浴槽１０４の上端開口部の一部を開放する開放位置（図６参照）との間を自在に旋回される。可動蓋部１１４が閉塞位置に位置付けられると、高さ調節用突部１２４は浴槽１０４の他方の縁部１２０ｂの上端部に載置され、これにより可動蓋部１１４はほぼ水平方向に配設される。なお、浴室５８の浴槽１０４の上端開口部のうち可動蓋部１１４により覆われない部分には、例えば市販の浴槽用蓋など（図示せず）を着脱自在に載置するようにしてもよく、これにより浴室５８の浴槽１０４内に貯められる温水の温度が低下するのを防止することができる。
【００５４】
このように蓋部材１０８を浴室５８の浴槽１０４に取り付けた後に、簡易浴槽本体４の一対のガイド用ピン２６を蓋部材１０８の一対のガイド用凹部１２６にそれぞれ移動自在に嵌合させるようにして、簡易浴槽本体４の座部１６を蓋部材１０８の上面に載置すると、簡易浴槽本体４の座部１６が蓋部材１０８を介して浴室５８の浴槽１０４の上端部に載置されるようになり、これによって、簡易浴槽装置２が浴室５８に設置される。ここで、浴室５８の浴槽１０４の高さに応じて、上述のようにして複数のアジャスタボルト３０，８２を適宜調節することにより、簡易浴槽本体４の座部１６を浴室５８の浴槽１０４の上端部に安定して且つ確実に載置することができる。
【００５５】
また、上述した一対のガイド用ピン２６及び一対のガイド用凹部１２６によってスライド移動機構が構成され、ガイド用ピン２６がガイド用凹部１２６内を移動することにより、簡易浴槽本体４は、浴室５８の浴槽１０４に対して相対的に所定方向、この実施形態では前後方向（図５において左右方向）に自在にスライド移動される。すなわち、簡易浴槽本体４は、座部１６の大部分が浴室５８の浴槽１０４の上端部に載置される使用位置（図５参照）と、座部１６の大部分が前方に引き出される非使用位置（図６参照）との間を自在にスライド移動される。
【００５６】
また、簡易浴槽装置２の簡易浴槽６に関連して温水供給手段１２８が設けられており、この温水供給手段１２８は、浴室５８の浴槽１０４内に配設された給水ポンプ１３０と、給水ポンプ１３０と給水用開口７８との間に配設される例えばゴムホースなどの給水ライン１３２と、を有しており（図５及び図６参照）、給水ポンプ１３０が作動すると、給水ポンプ１３０によって浴室５８の浴槽１０４内に貯められた温水が給水ライン１３２へ送られる。給水ライン１３２は、給水ポンプ１３０と給水用開口７８とを接続する第１ライン１３４と、第１ライン１３４から分岐する第２ライン１３６とから構成されており、第２ライン１３６の一端部は浴室５８の浴槽１０４内に配設されている。第２ライン１３６には開閉弁１３８が配設されており、この開閉弁１３８は開閉自在に構成されている。開閉弁１３８が閉状態であるときには、給水ポンプ１３０からの温水が第１ライン１３４及び給水用開口７８を通して簡易浴槽６内に供給され、また開閉弁１３８が開状態であるときには、給水ポンプ１３０からの温水が第１ライン１３４及び給水用開口７８を通して簡易浴槽６内に供給されるとともに、給水ポンプ１３０からの温水の一部が第１ライン１３４及び第２ライン１３６を通して浴室５８の浴槽１０４内に戻される。
【００５７】
以上のようにして簡易浴槽装置２が浴室５８に設置され、簡易浴槽本体４が使用位置に位置付けられると、簡易浴槽本体４の座部１６は浴室５８の浴槽１０４の上方に配設され、またカバー本体８は浴室５８の洗い場１０６側に配設されるようになる。したがって、簡易浴槽本体４の大部分が、一般的に活用されることの少ない浴室５８の浴槽１０４の上方に配設されることにより、浴室５８の浴槽１０４の上方のスペースを有効に利用することができ、これによって、簡易浴槽装置２を既存の浴室５８に容易に設置することができるとともに、浴室５８の洗い場１０６のスペースを十分に確保することができる。また、簡易浴槽本体４の底部の分割幅Ｄ１は、カバー本体８の底部の分割幅Ｄ２よりも小さく構成されているので、カバー本体８を簡易浴槽本体４から取り外した際に、浴室５８の洗い場１０６のスペースを十分に確保することができる。さらに、簡易浴槽本体４の後方において簡易浴槽本体４と浴室５８の壁面１０２との間には空間が存在しており、かかる空間をカバー本体８を収納するための収納空間１４０として利用することができる。すなわち、この収納空間１４０に簡易浴槽本体４から取り外されたカバー本体８を収納することにより、例えば介助者などが入浴する場合や洗い場１０６の清掃を行う際の洗い場１０６のスペースを十分に確保することができる。
【００５８】
次に、本実施形態による簡易浴槽装置２を用いて被介助者を入浴させる方法について説明する。まず、既存の給湯設備（図示せず）を用いて、被介助者が入浴するのに適した温度（例えば、約３５〜４０℃程度）に設定した温水を浴室５８の浴槽１０４内に貯めておき、簡易浴槽本体４を使用位置に位置付け、カバー本体８を簡易浴槽本体４の開口部１４から取り外し、足置き板４２を収納位置に保持させる。この状態より、介助者（図示せず）は、被介助者を簡易浴槽本体４のシート部１０に着座させ、その後に足置き板４２を収納位置から載置位置に保持させ、被介助者の両足を足置き板４２の上面に載置させる。このように被介助者をシート部１０に着座させると、被介助者の首、背中及び臀部はそれぞれ、ヘッドレスト部２４、背もたれ部１８及び座部１６に支持される。座部１６の上面及び背もたれ部１８の内面はそれぞれ上述のように傾斜して構成されているので、被介助者の身体が前方に滑ることがなく、被介助者をシート部１０に安定して着座させることができる。また、簡易浴槽本体４の座部１６は、浴室５８の浴槽１０４の上端部よりもやや上方に位置付けられているので、被介助者を簡易浴槽本体４の座部１６に容易に着座させることができる。このように被介助者を座部１６に着座させた後に、上述のようにしてカバー本体８を簡易浴槽本体４の開口部１４に取り付ける。被介助者の両足は足置き板４２に載置されているので、カバー本体８の下端部が被介助者の両足に接触することがなく、カバー本体８を簡易浴槽本体４の開口部１４に容易に取り付けることができる。
【００５９】
排水用開口８０の開閉弁（図示せず）及び温水供給手段１２８の開閉弁１３８をそれぞれ閉状態に保持させた状態において、給水ポンプ１３０を作動させて浴室５８の浴槽１０４に貯められた温水を第１ライン１３４及び給水用開口７８を通して簡易浴槽６に供給する。前カバー部６６が上述のように傾斜されているのに加えて、カバー本体８に第１突部７４及び第２突部７６が設けられているので、簡易浴槽６内に貯められる温水の容積を減少させることができ、これにより比較的短時間で温水を簡易浴槽６に貯めることが可能となる。例えば、簡易浴槽６の容積が１５０リットル、給水ポンプ１３０の容量が１００リットル／分である場合には、約１分半で簡易浴槽６内の温水が満水となる。簡易浴槽６内の温水が満水付近となると、開閉弁１３８を閉状態から開状態に手動で切り替えることにより、給水ポンプ１３０から送られる温水の一部が浴室５８の浴槽１０４に戻されるので、簡易浴槽６への温水の供給量が減少される。したがって、簡易浴槽６内の温水が満水となるまでは比較的大きい供給量でもって温水を供給することにより、比較的短時間で簡易浴槽６内に温水を貯めることができ、また簡易浴槽６内の温水が満水となった後は比較的小さい供給量でもって温水を供給することにより、被介助者の身体に大きな水圧が加わることによる負担を軽減することができる。なお、簡易浴槽本体４の下端部に設けられた複数のアジャスタボルト３０の各々の下端部は、連結部材３８を介して浴室５８の洗い場１０６に載置されるので、簡易浴槽本体４及びカバー本体８の全重量、簡易浴槽６に貯められた温水の重量及び被介助者の重量などによって浴室５８の洗い場１０６に作用する荷重を連結部材３８により分散させることができ、浴室５８の洗い場１０６に敷設されたタイルなど（図示せず）が破損するのを防止することができる。
【００６０】
簡易浴槽６内の温水の水位が温水戻し手段４５の排水用開口（図示せず）まで上昇すると、簡易浴槽６内の温水は、排水用開口及び排水用パイプ４８を通して浴室５８の浴槽１０４内に向けて落下されることにより浴室５８の浴槽１０４内に戻される。したがって、浴室５８の浴槽１０４内の温水は、温水供給手段１２８及び温水戻し手段４５によって簡易浴槽６を通して循環されるようになる。このように温水が循環されている状態において、浴室５８の浴槽１０４からの適温の温水が簡易浴槽６の下部から供給されるので、温度の下がりやすい簡易浴槽６の下部における温水の温度を適温に保つことができ、簡易浴槽６内の温水に温度差が生じるのを防止することができる。簡易浴槽６内の温水の温度が所定温度（例えば、約３５〜４０℃程度）よりも低下した場合には、この温水が浴室５８の浴槽１０４に戻され、この戻された温水が浴槽１０４の既存の給湯設備によって所定温度まで加温され、この加温された温水を簡易浴槽６に供給することにより、浴槽空間５内の温水の温度をほぼ一定に保持することが可能となる。また、温水が排水用パイプ４８から浴室５８の浴槽１０４内に向けて落下される際に生じる水の音色によって、浴室５８内の雰囲気を高めることができ、癒し効果やリラクゼーション効果を得ることができる。なお、簡易浴槽６内の温水の水位が温水戻し手段４５の排水用開口よりも下方まで上昇した時点で給水ポンプ１３０の作動を停止させ、温水を循環させないようにしてもよい。
【００６１】
簡易浴槽６内に入浴している被介助者は、簡易浴槽本体４のアームレスト部４４に肘を掛ける、あるいはカバー本体８の第１突部７４を手で掴むことにより、被介助者は安定した姿勢で入浴することができる。また、簡易浴槽６の下部から供給される温水の上方向への流れが、図５中の矢印で示すように第１突部７４の下面によって簡易浴槽本体４側の略水平方向への流れに変化され、これにより簡易浴槽６内の温水の流れは、被介助者の身体の前面（例えば、腹部など）に向かうようになり、被介助者の身体の浮き上がりを温水の略水平方向への流れによって効果的に抑えることができ、被介助者の身体の安定性を高めることができる。
【００６２】
また、このように被介助者が簡易浴槽６に入浴している状態において、被介助者の首、肩又は胸部などの上半身が簡易浴槽６内の温水の水面から外部に露出されている場合には、浴室５８の既存のシャワーヘッド６０をシャワーヘッド保持手段５０の保持部５６に保持させ、シャワーヘッド６０から噴出される温水を被介助者の露出された上半身に掛けることにより、被介助者の上半身が冷えるのを防止することができる。また、このシャワーヘッド６０を用いることによって、被介助者の身体を容易に洗うことができる。ここで、シャワーヘッド保持手段５０のアーム部５４は屈曲自在に構成されているので、シャワーヘッド６０を適宜の位置に保持させることができ、これにより被介助者の上半身の適宜の部位に温水を掛けることができる。
【００６３】
また、被介助者が簡易浴槽６に入浴するのと同時に、介助者などが浴室５８の浴槽１０４に入浴する場合には、排水用パイプ４８を通して落下される温水を浴室５８の浴槽１０４に入浴している介助者などの首、肩又は背中などに当てることにより、心地よい打たせ湯の刺激を得ることができる。一方、介助者などが単独で浴室５８の浴槽１０４に入浴する場合には、簡易浴槽本体４を図６中の矢印Ｐで示す方向にスライド移動させて非使用位置に位置付けることにより、簡易浴槽本体４から受ける圧迫感を少なくすることができる。また、このように簡易浴槽本体２を非使用位置に位置付けた状態において、蓋部材１０８の可動蓋部１１４を閉塞位置から開放位置に図６中の矢印Ｑで示す方向に旋回移動させて開放位置に保持させることにより、浴室５８の浴槽１０４の上端開口部のほぼ全域が開放されるので、介助者などが入浴するための浴室５８の浴槽１０４内のスペースを十分に確保することができる。なお、可動蓋部１１４を開放位置に保持させる際には、例えば可動蓋部１１４の一端部及び簡易浴槽本体４の後面にそれぞれフック部材（図示せず）及び係止リング（図示せず）を設け、フック部材を係止リングに着脱自在に係止させるようにすればよい。
【００６４】
被介助者の入浴が完了した後は、給水ポンプ１３０の作動を停止させ、排水用開口８０に設けた開閉弁を開状態に保持させることにより、浴槽空間５内の温水を排水用開口８０を通して外部に排出させる。このように浴槽空間５内の温水を外部に排出させる場合において、座部１６の上端面には排水用凹部２２が設けられているので、座部１６に溜まった温水が排水用凹部２２内を流れて外部に排出され、これにより温水が座部１６に溜まるのを防止することができる。簡易浴槽６内の温水が完全に排水された後に、カバー本体８を簡易浴槽本体４の開口部１４より取り外し、被介助者をシート部１０から起立させ浴室５８から退室させる。
【００６５】
なお、例えば被介助者の身体の汚れがひどい場合には、被介助者をシート部１０に着座させ、カバー本体８を簡易浴槽本体４の開口部１４から取り外した状態において、浴室５８のシャワーヘッド６０から噴出する温水によって被介助者の身体を洗浄し、その後に上述したのと同様にして被介助者を簡易浴槽６に入浴させるようにしてもよい。
【００６６】
以上、本発明に従う簡易浴槽装置の一実施形態について説明したが、本発明はかかる実施形態に限定されるものではなく、本発明の範囲を逸脱することなく種々の変形乃至修正が可能である。
【００６７】
例えば、上記実施形態では、簡易浴槽６に貯められた温水が満水となった際に、手動により開閉弁１３８を開状態とするようにしたが、例えば簡易浴槽６に水位センサなどを設けておき、水位センサにより簡易浴槽６に貯められた温水が満水となったことを検知すると、開閉弁１３８が自動的に閉状態から開状態となるように構成してもよい。あるいは、開閉弁１３８及び第２ライン１３６を省略し、ポンプ容量を調節することができる給水ポンプを用いて、このポンプ容量を調節することによって、給水ポンプから送られる温水の供給量を調節するようにしてもよい。
【００６８】
また例えば、上記実施形態では、給水用開口７８及び排水用開口８０をカバー本体８の側カバー部６８の下部に設けたが、これに限られず、例えばカバー本体８の前カバー部６６の下部又は簡易浴槽本体４の側板部１２の下部に設けるようにしてもよく、その配設部位は適宜設定することができる。また例えば、上記実施形態では、温水戻し手段４５を簡易浴槽本体４の一方の側板部１２の上部に設けたが、例えばカバー本体８の側カバー部６８の上部に設けるようにしてもよく、その配設部位は適宜設定することができる。
【００６９】
また例えば、簡易浴槽本体４をスライド移動させるためのスライド移動機構を省略するようにしてもよく、あるいは、蓋部材１０８を１枚の板部材から構成するようにしてもよい。この場合には、蓋部材１０８の下面に一対の位置決め用突部を設けるようにし、これら一対の位置決め用突部がそれぞれ浴槽１０４の各縁部１２０ａ，１２０ｂの内側に配設されるようにするのが好ましい。
【００７０】
また例えば、上記実施形態では、温水戻し手段４５を排水用開口及び排水用パイプ４８から構成したが、例えば、排水用開口と、排水用開口から浴槽１０４まで延びるゴムホースなどから構成してもよく、その構成は適宜変更することができる。
【００７１】
また例えば、上記実施形態では、カバー本体８を取り外したときに簡易浴槽本体４の前面の全域が開放されるように構成したが、その前面の大部分を開放するように構成してもよく、かく構成することにより上述したのと同様の作用効果が達成される。
【図面の簡単な説明】
【００７２】
【図１】本発明の一実施形態による簡易浴槽装置を浴室に設置した状態を示す概略斜視図である。
【図２】図１の簡易浴槽装置を示す分解斜視図である。
【図３】図１の簡易浴槽装置の一部を透過して示す正面図である。
【図４】図１の簡易浴槽装置を示す上面図である。
【図５】図１の簡易浴槽本体が使用位置に位置付けられた状態を示す概略断面図である。
【図６】図１の簡易浴槽装置が非使用位置に位置付けられた状態を示す概略要部断面図である。
【図７】図５の蓋部材を浴室の浴槽の上端部に載置した状態を示す概略斜視図である。
【図８】図３中のＡ−Ａ’線による簡易浴槽本体の開口部の下端部の概略拡大断面図である。
【図９】図３中のＢ−Ｂ’線による簡易浴槽本体の開口部の左右の端部の概略拡大断面図である。
【符号の説明】
【００７３】
２  簡易浴槽装置
４  簡易浴槽本体
６  簡易浴槽
８  カバー本体
１６  座部
２２  排水用凹部
３０，８２  アジャスタボルト
３８  連結部材
４２  足置き板
４５  温水戻し手段
４８  排水用パイプ
５０  シャワーヘッド保持手段
５８  浴室
６２  受け凹部
７４  第１突部
７８  給水用開口
１０４  浴槽
１０６  洗い場
１２８  温水供給手段
【図１】
2007151709.tif 000003
【図２】
2007151709.tif 000004
【図３】
2007151709.tif 000005
【図４】
2007151709.tif 000006
【図５】
2007151709.tif 000007
【図６】
2007151709.tif 000008
【図７】
2007151709.tif 000009
【図８】
2007151709.tif 000010
【図９】
2007151709.tif 000011